(57)【特許請求の範囲】
【請求項１】
超臨界または亜臨界のいずれかの洗浄流体が流入する気密構造洗浄室を備えた洗浄容器に該洗浄流体を流通させ、前記洗浄室に収容された被洗浄物を洗浄する洗浄システムにおいて、
前記洗浄システムが、超臨界、亜臨界、非超臨界、非亜臨界のいずれかの状態で該システムを流れる洗浄流体に含まれる不純物を検出する不純物検出装置と、前記洗浄流体に含まれる不純物を該洗浄流体から分離する気液分離装置と、制御装置とを含み、
前記不純物検出装置が、前記気液分離装置から流出した後の洗浄流体に残存する不純物を検出しつつ、その不純物の成分を分析する不純物検出手段と、前記不純物検出手段によって検出した不純物の検出結果と分析した不純物の分析結果とを前記制御装置に出力する検出結果出力手段とを有し、
前記制御装置が、前記不純物検出手段から出力された分析結果に基づいて、前記気液分離装置から流出した後の洗浄流体に残存する不純物の種類を特定する種類特定手段と、前記気液分離装置から流出した後の洗浄流体に残存する不純物がその洗浄流体から消失し得るように、前記気液分離装置内の洗浄流体の圧力を洗浄流体に残存する不純物の種類に適した最適圧力に調節する圧力調節手段と、前記気液分離装置内の洗浄流体の温度を洗浄流体に残存する不純物の種類に適した最適温度に調節する温度調節手段とを有し、
前記種類特定手段では、前記不純物の種類から該不純物の沸点を特定し、前記圧力調節手段では、前記種類特定手段によって特定した前記沸点を、沸点と最適圧力との相関を示す第１相関関係に当て嵌めて、特定した前記沸点に対応する最適圧力を決定し、前記温度調節手段では、前記種類特定手段によって特定した前記沸点を、沸点と最適温度との相関を示す第２相関関係に当て嵌めて、特定した前記沸点に対応する最適温度を決定することを特徴とする洗浄システム。
【請求項２】
前記制御装置には、横軸に表された沸点と縦軸に表された最適圧力と所定の傾きを有する関数とが表示された図表として前記第１相関関係が格納されているとともに、横軸に表された沸点と縦軸に表された最適温度と所定の傾きを有する関数とが表示された図表として前記第２相関関係が格納され、前記圧力調節手段では、所定の沸点から縦に引いた線分と関数との交点を割り出し、その交点から横に引いた線分が縦軸に交わるときの圧力を最適圧力とし、前記温度調節手段では、所定の沸点から縦に引いた線分と関数との交点を割り出し、その交点から横に引いた線分が縦軸に交わるときの温度を最適温度とする請求項１記載の洗浄システム。
【請求項３】
超臨界または亜臨界のいずれかの洗浄流体が流入する気密構造洗浄室を備えた洗浄容器に該洗浄流体を流通させ、前記洗浄室に収容された被洗浄物を洗浄する洗浄システムにおいて、
前記洗浄システムが、超臨界、亜臨界、非超臨界、非亜臨界のいずれかの状態で該システムを流れる洗浄流体に含まれる不純物を検出する不純物検出装置と、前記洗浄流体に含まれる不純物を該洗浄流体から分離する気液分離装置と、制御装置とを含み、
前記不純物検出装置が、前記気液分離装置から流出した後の洗浄流体に残存する不純物を検出しつつ、その不純物の成分を分析する不純物検出手段と、前記不純物検出手段によって検出した不純物の検出結果と分析した不純物の分析結果とを前記制御装置に出力する検出結果出力手段とを有し、
前記制御装置が、前記不純物検出手段から出力された分析結果に基づいて、前記気液分離装置から流出した後の洗浄流体に残存する不純物の種類を特定する種類特定手段と、前記気液分離装置から流出した後の洗浄流体に残存する不純物がその洗浄流体から消失し得るように、前記気液分離装置内の洗浄流体の圧力を洗浄流体に残存する不純物の種類に適した最適圧力に調節する圧力調節手段と、前記気液分離装置内の洗浄流体の温度を洗浄流体に残存する不純物の種類に適した最適温度に調節する温度調節手段とを有し、
前記種類特定手段では、前記不純物の種類から該不純物の飽和蒸気圧を特定し、前記圧力調節手段では、前記種類特定手段によって特定した前記飽和蒸気圧を、飽和蒸気圧と最適圧力との相関を示す第３相関関係に当て嵌めて、特定した前記飽和蒸気圧に対応する最適圧力を決定し、前記温度調節手段では、前記種類特定手段によって特定した前記飽和蒸気圧を、飽和蒸気圧と最適温度との相関を示す第４相関関係に当て嵌めて、特定した前記飽和蒸気圧に対応する最適温度を決定することを特徴とする洗浄システム。
【請求項４】
前記制御装置には、横軸に表された飽和蒸気圧と縦軸に表された最適圧力と所定の傾きを有する関数とが表示された図表として前記第３相関関係が格納されているとともに、横軸に表された飽和蒸気圧と縦軸に表された最適温度と所定の傾きを有する関数とが表示された図表として前記第４相関関係が格納され、前記圧力調節手段では、所定の飽和蒸気圧から縦に引いた線分と関数との交点を割り出し、その交点から横に引いた線分が縦軸に交わるときの圧力を最適圧力とし、前記温度調節手段では、所定の飽和蒸気圧から縦に引いた線分と関数との交点を割り出し、その交点から横に引いた線分が縦軸に交わるときの温度を最適温度とする請求項３記載の洗浄システム。
【請求項５】
前記制御装置が、前記気液分離装置内の洗浄流体の圧力をあらかじめ設定された初期圧力に調節しつつ、該気液分離装置内の洗浄流体の温度をあらかじめ設定された初期温度に調節して前記システムの初期運転を行う初期運転手段を含み、前記圧力調節手段では、前記気液分離装置内の洗浄流体の圧力を前記初期圧力から前記最適圧力に調節し、前記温度調節手段では、前記気液分離装置内の洗浄流体の温度を前記初期温度から前記最適温度に調節する請求項１ないし請求項４いずれかに記載の洗浄システム。
【請求項６】
前記初期運転手段では、前記気液分離装置を最も緩い条件で運転し得る初期圧力および初期温度を採用して前記システムの初期運転を行う請求項５記載の洗浄システム。
【請求項７】
前記圧力調節手段では、前記洗浄流体の流路に設置された凝縮器の温度と該洗浄流体の流路に設置された圧力制御弁の弁開度とのうちの少なくとも凝縮器の温度を変更することで前記気液分離装置内の洗浄流体の圧力を調節する請求項１ないし請求項６いずれかに記載の洗浄システム。
【請求項８】
前記温度調節手段では、前記洗浄流体の流路に設置された凝縮器の温度と該洗浄流体の流路に設置された冷却器の出力とのうちの少なくとも凝縮器の温度を変更することで前記気液分離装置内の洗浄流体の温度を調節する請求項１ないし請求項７いずれかに記載の洗浄システム。
【請求項９】
前記気液分離装置の下流側には、該気液分離装置から流出した洗浄流体に含まれる不純物を該洗浄流体から除去する濾過装置が設置されている請求項１ないし請求項８いずれかに記載の洗浄システム。
【発明の詳細な説明】
【技術分野】
【０００１】
本発明は、超臨界または亜臨界のいずれかの洗浄流体を使用して洗浄室に収容された被洗浄物を洗浄する洗浄システムに関する。
【背景技術】
【０００２】
洗浄流体を貯留する耐圧容器と、耐圧容器の内壁から離間しつつその容器の内部に垂直に設置された筒体と、筒体の内側と外側とに洗浄流体を対流させる対流発生装置と、筒体の内側に設置されて被洗浄物を収容するバスケットと、筒体の外側に設置されて洗浄流体に含まれる不純物を洗浄流体から除去する不純物捕捉材とから形成された洗浄装置がある（特許文献１参照）。この洗浄装置は、バスケットに収容された被洗浄物に洗浄流体を流通させることで、被洗浄物に付着した不純物を被洗浄物から除去するとともに、洗浄流体に含まれる不純物を不純物捕捉材に捕捉させ、洗浄流体から不純物を除去する。洗浄流体には、超臨界または亜臨界のいずれかのそれが使用される。不純物捕捉材には、活性炭や合成吸着剤、ゼオライト、メソポーラスシリカ等の不純物吸着剤が使用される。
【特許文献１】特開２００６−１０２６８０号公報
【発明の開示】
【発明が解決しようとする課題】
【０００３】
前記公報に開示の洗浄装置は、洗浄流体に含まれる不純物を不純物吸着剤に吸着させ、洗浄流体から不純物を除去する。しかし、それら不純物吸着剤は、不純物を吸着していく過程においてその吸着機能が次第に低下し、時間とともに吸着能力が減少する。この洗浄装置では、洗浄流体に含まれる不純物を継続して除去するために、所定の時間間隔で不純物吸着剤を新しいそれに交換しなければならず、そのための手間と費用とがかかる。また、不純物吸着剤を交換せずに放置すると、不純物吸着剤の吸着機能が飽和し、洗浄流体が次第に汚れ、洗浄流体を清潔に保持することができない。
【０００４】
本発明の目的は、手間と費用とをかけずに洗浄流体に含まれる不純物を洗浄流体から分離することができ、洗浄時における洗浄流体を清潔に保持することができる洗浄システムを提供することにある。
【課題を解決するための手段】
【０００５】
前記課題を解決するための本発明の前提は、超臨界または亜臨界のいずれかの洗浄流体が流入する気密構造洗浄室を備えた洗浄容器に該洗浄流体を流通させ、洗浄室に収容された被洗浄物を洗浄する洗浄システムである。
【０００６】
前記前提における本発明の第１の特徴としては、洗浄システムが、超臨界、亜臨界、非超臨界、非亜臨界のいずれかの状態で該システムを流れる洗浄流体に含まれる不純物を検出する不純物検出装置と、洗浄流体に含まれる不純物を該洗浄流体から分離する気液分離装置と、制御装置とを含み、不純物検出装置が、気液分離装置から流出した後の洗浄流体に残存する不純物を検出しつつ、その不純物の成分を分析する不純物検出手段と、不純物検出手段によって検出した不純物の検出結果と分析した不純物の分析結果とを制御装置に出力する検出結果出力手段とを有し、制御装置が、不純物検出手段から出力された分析結果に基づいて、気液分離装置から流出した後の洗浄流体に残存する不純物の種類を特定する種類特定手段と、気液分離装置から流出した後の洗浄流体に残存する不純物がその洗浄流体から消失し得るように、気液分離装置内の洗浄流体の圧力を洗浄流体に残存する不純物の種類に適した最適圧力に調節する圧力調節手段と、気液分離装置内の洗浄流体の温度を洗浄流体に残存する不純物の種類に適した最適温度に調節する温度調節手段とを有し、種類特定手段では、不純物の種類から該不純物の沸点を特定し、圧力調節手段では、種類特定手段によって特定した沸点を、沸点と最適圧力との相関を示す第１相関関係に当て嵌めて、特定した沸点に対応する最適圧力を決定し、温度調節手段では、種類特定手段によって特定した沸点を、沸点と最適温度との相関を示す第２相関関係に当て嵌めて、特定した沸点に対応する最適温度を決定することにある。
【０００７】
前記第１の特徴を有する洗浄システムの一例として、制御装置には、横軸に表された沸点と縦軸に表された最適圧力と所定の傾きを有する関数とが表示された図表として第１相関関係が格納されているとともに、横軸に表された沸点と縦軸に表された最適温度と所定の傾きを有する関数とが表示された図表として第２相関関係が格納され、圧力調節手段では、所定の沸点から縦に引いた線分と関数との交点を割り出し、その交点から横に引いた線分が縦軸に交わるときの圧力を最適圧力とし、温度調節手段では、所定の沸点から縦に引いた線分と関数との交点を割り出し、その交点から横に引いた線分が縦軸に交わるときの温度を最適温度とする。
【０００８】
前記前提における本発明の第２の特徴としては、洗浄システムが、超臨界、亜臨界、非超臨界、非亜臨界のいずれかの状態で該システムを流れる洗浄流体に含まれる不純物を検出する不純物検出装置と、洗浄流体に含まれる不純物を該洗浄流体から分離する気液分離装置と、制御装置とを含み、不純物検出装置が、気液分離装置から流出した後の洗浄流体に残存する不純物を検出しつつ、その不純物の成分を分析する不純物検出手段と、不純物検出手段によって検出した不純物の検出結果と分析した不純物の分析結果とを制御装置に出力する検出結果出力手段とを有し、制御装置が、不純物検出手段から出力された分析結果に基づいて、気液分離装置から流出した後の洗浄流体に残存する不純物の種類を特定する種類特定手段と、気液分離装置から流出した後の洗浄流体に残存する不純物がその洗浄流体から消失し得るように、気液分離装置内の洗浄流体の圧力を洗浄流体に残存する不純物の種類に適した最適圧力に調節する圧力調節手段と、気液分離装置内の洗浄流体の温度を洗浄流体に残存する不純物の種類に適した最適温度に調節する温度調節手段とを有し、種類特定手段では、不純物の種類から該不純物の飽和蒸気圧を特定し、圧力調節手段では、種類特定手段によって特定した飽和蒸気圧を、飽和蒸気圧と最適圧力との相関を示す第３相関関係に当て嵌めて、特定した前記飽和蒸気圧に対応する最適圧力を決定し、温度調節手段では、種類特定手段によって特定した飽和蒸気圧を、飽和蒸気圧と最適温度との相関を示す第４相関関係に当て嵌めて、特定した飽和蒸気圧に対応する最適温度を決定することにある。
【０００９】
前記第２の特徴を有する洗浄システムの一例として、制御装置には、横軸に表された飽和蒸気圧と縦軸に表された最適圧力と所定の傾きを有する関数とが表示された図表として第３相関関係が格納されているとともに、横軸に表された飽和蒸気圧と縦軸に表された最適温度と所定の傾きを有する関数とが表示された図表として第４相関関係が格納され、圧力調節手段では、所定の飽和蒸気圧から縦に引いた線分と関数との交点を割り出し、その交点から横に引いた線分が縦軸に交わるときの圧力を最適圧力とし、温度調節手段では、所定の飽和蒸気圧から縦に引いた線分と関数との交点を割り出し、その交点から横に引いた線分が縦軸に交わるときの温度を最適温度とする。
【００１０】
前記第１および第２の特徴を有する洗浄システムの他の一例としては、制御装置が、気液分離装置内の洗浄流体の圧力をあらかじめ設定された初期圧力に調節しつつ、気液分離装置内の洗浄流体の温度をあらかじめ設定された初期温度に調節してシステムの初期運転を行う初期運転手段を含み、圧力調節手段では、気液分離装置内の洗浄流体の圧力を初期圧力から最適圧力に調節し、温度調節手段では、気液分離装置内の洗浄流体の温度を初期温度から前記最適温度に調節する。
【００１１】
前記第１および第２の特徴を有する洗浄システムの他の一例として、初期運転手段では、気液分離装置を最も緩い条件で運転し得る初期圧力および初期温度を採用してシステムの初期運転を行う。
【００１２】
前記第１および第２の特徴を有する洗浄システムの他の一例として、圧力調節手段では、洗浄流体の流路に設置された凝縮器の温度と該洗浄流体の流路に設置された圧力制御弁の弁開度とのうちの少なくとも凝縮器の温度を変更することで気液分離装置内の洗浄流体の圧力を調節する。
【００１３】
前記第１および第２の特徴を有する洗浄システムの他の一例として、温度調節手段では、洗浄流体の流路に設置された凝縮器の温度と該洗浄流体の流路に設置された冷却器の出力とのうちの少なくとも凝縮器の温度を変更することで気液分離装置内の洗浄流体の温度を調節する。
前記第１および第２の特徴を有する洗浄システムの他の一例として、気液分離装置の下流側には、気液分離装置から流出した洗浄流体に含まれる不純物を該洗浄流体から除去する濾過装置が設置されている。
【発明の効果】
【００１４】
第１の特徴を有する本発明の洗浄システムによれば、特定した不純物の沸点をあらかじめ作成された第１相関関係に当て嵌めて最適圧力を決定し、特定した不純物の沸点をあらかじめ作成された第２相関関係に当て嵌めて最適温度を決定するから、第１および第２相関関係を利用して不純物の沸点に対応する正確な最適圧力や最適温度を決定することができ、最適な圧力・温度条件を気液分離装置に適用することができる。洗浄システムは、気液分離装置内の洗浄流体の圧力を洗浄流体に残存する不純物の種類に適した最適圧力に調節しつつ、気液分離装置内の洗浄流体の温度を洗浄流体に残存する不純物の種類に適した最適温度に調節するから、不純物の種類に適した最適な圧力・温度条件で気液分離装置を運転することができ、不純物の蒸気圧の差を効率的に利用して洗浄流体に含まれる不純物を洗浄流体から効率よく分離することができる。洗浄システムは、手間と費用とをかけずに洗浄流体に含まれる不純物を洗浄流体から分離することができ、洗浄時における洗浄流体を常時清潔に保持することができる。洗浄システムは、洗浄流体に残存する不純物の種類に最も適した圧力・温度条件で気液分離装置を運転するから、システムにおけるエネルギー損失を低減することができ、その結果、システムのエネルギー効率を向上させることができる。
【００１５】
横軸に表された沸点と縦軸に表された最適圧力と所定の傾きを有する関数とが表示された図表として第１相関関係が格納されているとともに、横軸に表された沸点と縦軸に表された最適温度と所定の傾きを有する関数とが表示された図表として第２相関関係が格納され、圧力調節手段において、所定の沸点から縦に引いた線分と関数との交点を割り出し、その交点から横に引いた線分が縦軸に交わるときの圧力を最適圧力とし、温度調節手段において、所定の沸点から縦に引いた線分と関数との交点を割り出し、その交点から横に引いた線分が縦軸に交わるときの温度を最適温度とする洗浄システムは、そのような図表として格納された第１および第２相関関係を利用することで、不純物の沸点に対応する正確な最適圧力や最適温度を決定することができ、最適な圧力・温度条件を気液分離装置に適用することができる。洗浄システムは、気液分離装置内の洗浄流体の圧力を洗浄流体に残存する不純物の種類に適した最適圧力に調節しつつ、気液分離装置内の洗浄流体の温度を洗浄流体に残存する不純物の種類に適した最適温度に調節するから、不純物の種類に適した最適な圧力・温度条件で気液分離装置を運転することができ、不純物の蒸気圧の差を効率的に利用して洗浄流体に含まれる不純物を洗浄流体から効率よく分離することができる。
【００１６】
第２の特徴を有する本発明の洗浄システムによれば、特定した不純物の飽和蒸気圧をあらかじめ作成された第３相関関係に当て嵌めて最適圧力を決定し、特定した不純物の飽和蒸気圧をあらかじめ作成された第４相関関係に当て嵌めて最適温度を決定するから、第３および第４相関関係を利用して不純物の飽和蒸気圧に対応する正確な最適圧力や最適温度を決定することができ、最適な圧力・温度条件を気液分離装置に適用することができる。洗浄システムは、気液分離装置内の洗浄流体の圧力を洗浄流体に残存する不純物の種類に適した最適圧力に調節しつつ、気液分離装置内の洗浄流体の温度を洗浄流体に残存する不純物の種類に適した最適温度に調節するから、不純物の種類に適した最適な圧力・温度条件で気液分離装置を運転することができ、不純物の蒸気圧の差を効率的に利用して洗浄流体に含まれる不純物を洗浄流体から効率よく分離することができる。洗浄システムは、手間と費用とをかけずに洗浄流体に含まれる不純物を洗浄流体から分離することができ、洗浄時における洗浄流体を常時清潔に保持することができる。洗浄システムは、洗浄流体に残存する不純物の種類に最も適した圧力・温度条件で気液分離装置を運転するから、システムにおけるエネルギー損失を低減することができ、その結果、システムのエネルギー効率を向上させることができる。
【００１７】
横軸に表された飽和蒸気圧と縦軸に表された最適圧力と所定の傾きを有する関数とが表示された図表として第３相関関係が格納されているとともに、横軸に表された飽和蒸気圧と縦軸に表された最適温度と所定の傾きを有する関数とが表示された図表として第４相関関係が格納され、圧力調節手段において、所定の飽和蒸気圧から縦に引いた線分と関数との交点を割り出し、その交点から横に引いた線分が縦軸に交わるときの圧力を最適圧力とし、温度調節手段において、所定の飽和蒸気圧から縦に引いた線分と関数との交点を割り出し、その交点から横に引いた線分が縦軸に交わるときの温度を最適温度とする洗浄システムは、そのような図表として格納された第３および第４相関関係を利用することで、不純物の飽和蒸気圧に対応する正確な最適圧力や最適温度を決定することができ、最適な圧力・温度条件を気液分離装置に適用することができる。洗浄システムは、気液分離装置内の洗浄流体の圧力を洗浄流体に残存する不純物の種類に適した最適圧力に調節しつつ、気液分離装置内の洗浄流体の温度を洗浄流体に残存する不純物の種類に適した最適温度に調節するから、不純物の種類に適した最適な圧力・温度条件で気液分離装置を運転することができ、不純物の蒸気圧の差を効率的に利用して洗浄流体に含まれる不純物を洗浄流体から効率よく分離することができる。
【００１８】
気液分離装置内の洗浄流体の圧力をあらかじめ設定された初期圧力に調節しつつ、気液分離装置内の洗浄流体の温度をあらかじめ設定された初期温度に調節して初期運転を行う初期運転手段を含む洗浄システムは、初期圧力および初期温度においてシステムを初期運転することで洗浄流体に含まれる所定の不純物を除去し得ることはもちろん、それら初期圧力・温度が不適切である場合、気液分離装置内の洗浄流体の圧力を初期圧力から最適圧力に調節しつつ、気液分離装置内の洗浄流体の温度を初期温度から最適温度に調節するから、最適な圧力・温度条件で気液分離装置を運転することができ、不純物の蒸気圧の差を効率的に利用して洗浄流体に含まれる不純物を洗浄流体から効率よく分離することができる。洗浄システムは、手間と費用とをかけずに洗浄流体に含まれる不純物を洗浄流体から分離することができ、洗浄時における洗浄流体を常時清潔に保持することができる。この洗浄システムは、最適な圧力・温度条件で気液分離装置を運転するから、システムにおけるエネルギー損失を低減することができ、その結果、システムのエネルギー効率を向上させることができる。
【００１９】
初期運転手段において、気液分離装置を最も緩い条件で運転し得る初期圧力および初期温度を採用して初期運転を行う洗浄システムは、初期運転時に気液分離装置を軽負荷で運転することで、初期運転時に気液分離装置を重負荷で運転する場合と比較し、システムの省エネ化を図ることができ、その結果、システムのエネルギー効率を向上させることができる。
【００２０】
気液分離装置から流出した洗浄流体に含まれる不純物をその洗浄流体から除去する濾過装置が気液分離装置の下流側に設置された洗浄システムは、気液分離装置から流出した洗浄流体に微量の不純物が含まれていたとしても、濾過装置によってその不純物が洗浄流体から除去されるから、気液分離装置によって分離しきれない不純物を洗浄流体から取り除くことができ、洗浄時における洗浄流体を清潔に保持することができる。
【発明を実施するための最良の形態】
【００２１】
添付の図面を参照し、本発明に係る洗浄システムの詳細をフィルタの洗浄を例として説明すると、以下のとおりである。図１は、一例として示す洗浄システム１０の構成図である。この洗浄システム１０は、気体を濾過した後の使用済のエアフィルタ１１（被洗浄物）の洗浄や液体を濾過した後の使用済のリキッドフィルタ１１（被洗浄物）の洗浄に好適に利用される他、新品のフィルタの出荷前洗浄にも利用される。それらフィルタ１１の洗浄には、超臨界または亜臨界のいずれかの洗浄流体が使用される。なお、この洗浄システム１０で洗浄される被洗浄物は、フィルタ１１のみならず、超臨界や亜臨界の洗浄流体によって洗浄可能なすべての被洗浄物が含まれる。
【００２２】
洗浄システム１０は、二酸化炭素を液化する凝縮器１２と、液化された二酸化炭素を収容する真空断熱の貯留タンク１３と、タンク１３から供給された二酸化炭素を所定圧力に加圧可能なポンプ１４と、二酸化炭素を所定温度に加熱可能な加熱器１５と、フィルタ１１を収容かつ洗浄する洗浄容器１６と、洗浄流体を冷却可能な冷却器１７と、洗浄流体に含まれる不純物を洗浄流体から分離可能な気液分離装置１８と、洗浄流体に含まれる不純物を洗浄流体から除去可能な濾過装置１９と、ガスクロマトグラフ２０（不純物検出装置）と、コントローラ２１（制御装置）とを備えている。凝縮器１２、タンク１３、ポンプ１４、加熱器１５、洗浄容器１６、冷却器１７、気液分離装置１８、濾過装置１９は、管路２２を介して互いに連結されている。それら機器の連結順序は、図１に示すように、凝縮器１２→タンク１３→ポンプ１４→加熱器１５→洗浄容器１６→冷却器１７→気液分離装置１８→濾過装置１９である。
【００２３】
冷却器１７と気液分離装置１８とを連結する管路２２には、第１圧力制御弁２３が設置されている。凝縮器１２と貯留タンク１３とを連結する管路２２には、第２圧力制御弁２４が設置されている。第１および第２圧力制御弁２３，２４は、その弁機構の開度を変更することで、弁２３，２４を通る洗浄流体の圧力を調節可能である。洗浄容器１６には、図示はしていないが、温度センサや圧力センサが取り付けられている。洗浄容器１６の内部には、気密構造洗浄室（図示せず）が作られている。管路２２には、図示はしていないが、流量センサが設置されている。気液分離装置１８は、不純物の蒸気圧の差を利用して洗浄流体に含まれる不純物を洗浄流体から分離する。気液分離装置１８には、ヒータ２５（加熱器）と回収器２６とが取り付けられている。回収器２６には、気液分離装置１８によって分離された不純物（液体）が回収される。
【００２４】
濾過装置１９は、気液分離装置１８において分離されなかった不純物を洗浄流体から除去（濾過）し、洗浄流体を浄化する。濾過装置１９は、図示はしていないが、ハウジングとフィルタとフィルタを固定するフィルタカートリッジとから形成されている。濾過装置１９では、フィルタカートリッジにフィルタを取り付けた後、そのカートリッジをハウジングに装着する。濾過装置１９に使用するフィルタには、粗大な不純物を除去するプレフィルタ、微細な不純物を除去する中性能フィルタまたは高性能フィルタ、極めて微細の不純物を除去するＨＥＰＡ（ヘパ）フィルタやＵＬＰＡ（ウルパ）フィルタ、化学物質を除去するケミカルフィルタが使用されている。フィルタには、取り除く不純物に応じてそれらの数種類を組み合わせた複合フィルタを使用することが好ましい。
【００２５】
濾過装置１９に使用するフィルタは、ガラス繊維や吸着剤、合成樹脂繊維を濾材とする。吸着剤には、活性炭やゼオライト、セラミック多孔体等が使用される。合成樹脂繊維を形成する合成樹脂には、ポリプロピレン、ポリエステル、ポリエチレン、ポリエーテルスルフォン、ポリスルフォン、ナイロン６、ポリフェニレンサルファイド等が使用される。濾材としては、それら繊維のみを重ね合わせたもの、それら繊維間に粒状活性炭や粒状ゼオライト、粒状セラミック多孔体等の吸着剤を担持させ、それら繊維を重ね合わせたもの、重なり合う繊維集合物の間に粒状活性炭や粒状ゼオライト、粒状セラミック多孔体等の吸着剤を介在させたものも含まれる。濾過装置１９では、洗浄流体が濾材を通過する過程において洗浄流体に含まれる微量の不純物が濾材に捕捉され、洗浄流体に含まれる不純物が除去される。
【００２６】
被洗浄物であるエアフィルタ１１には、セパレータ型エアフィルタやミニプリーツ型エアフィルタ等がある。エアフィルタ１１は、主に空調用フィルタや空気清浄用フィルタ、排気処理用フィルタ、車両用エアフィルタとして使用される。被洗浄物であるリキッドフィルタ１１は、浄水装置用フィルタや浸透圧を利用する膜装置用フィルタとして使用される。エアフィルタ１１やリキッドフィルタ１１は、濾過装置１９に使用されるフィルタと同様に、ガラス繊維や吸着剤、合成樹脂繊維を濾材とし、フィルタカートリッジに収納して使用される。それらフィルタ１１は、蛇腹に折り畳まれた四角柱状の立体構造を有する。なお、このシステム１０で洗浄されるフィルタには、立体構造を有するそれの他に、略扁平のそれも含まれ、さらに、円柱状や多角柱状のものも含まれる。
【００２７】
超臨界や亜臨界のいずれかの洗浄流体は、気体と液体との性質を有し、エアフィルタ１１やリキッドフィルタ１１を形成する濾材の微細な間隙に容易に進入し、濾材表面に付着した不純物（汚れ）を溶かし込むとともに、濾材内部に浸透して濾材内部に滲入した不純物（汚れ）を溶かし込む。洗浄流体は、それを利用することで、濾材表面に付着した不純物を落とすことができるのみならず、濾材内部に滲入した不純物を落とすことができる。
【００２８】
貯留タンク１３から供給された二酸化炭素は、ポンプ１４によって５．０〜３０．０ＭＰａの圧力に加圧された後、加熱器１５によって３０〜１２０℃の温度に加熱され、超臨界または亜臨界のいずれかの洗浄流体になる。超臨界または亜臨界の洗浄流体は、ポンプ１４によって強制的に洗浄容器１６に供給され、洗浄容器１６の気密構造洗浄室に流入し、洗浄室に収容されたフィルタ１１を洗浄する。洗浄容器１６から流出した洗浄流体は、冷却器１７によって冷却され、さらに、第１圧力制御弁２３によって減圧されて非超臨界または非亜臨界の洗浄流体（二酸化炭素）に戻る。
【００２９】
圧力制御弁２３を通った洗浄流体は、気液分離装置１８に流入し、気液分離装置１８によってそれに含まれる不純物が分離される。洗浄流体から分離された不純物は、回収器２６に回収される。気液分離装置１８から流出した洗浄流体は、濾過装置１９に流入し、気液分離装置１８において分離されなかった不純物が濾過装置１９によって洗浄流体から除去される。濾過装置１９から流出した洗浄流体は、凝縮器１２に流入する。洗浄流体は、凝縮器１２によって液体に戻り、制御弁２４を通って貯留タンク１３に流入し、再びタンク１３から管路２２に供給される。このように、フィルタ１１の洗浄中は、洗浄流体が超臨界または亜臨界から非超臨界または非亜臨界、非超臨界または非亜臨界から超臨界または亜臨界へと状態を変化させながら管路２２（システム１０）を循環する。
【００３０】
ガスクロマトグラフ２０は、洗浄流体に含まれる不純物を検出かつ不純物の成分を分析する。ガスクロマトグラフ２０によるサンプリングポイントＰは、気液分離装置１８と濾過装置１９とを連結する管路２２に設定されている。ガスクロマトグラフ２０は、気液分離装置１８から流出した後の洗浄流体に残存する不純物を検出し、かつ、検出した不純物の成分を分析する不純物検出手段を実行し、不純物検出手段によって分析した分析結果をコントローラ２１に出力する検出結果出力手段を実行する。ガスクロマトグラフ２０から延びるサンプリング管２７は、気液分離装置１８と濾過装置１９とを連結する管路２２に接続されている。気液分離装置１８から流出した洗浄流体の一部は、管路２２からサンプリング管２７に流入し、減圧弁（図示せず）によって減圧されてガスクロマトグラフ２０に送られる。
【００３１】
コントローラ２１は、中央処理部（ＣＰＵまたはＭＰＵ）とメモリとを備えたコンピュータであり、大容量ハードディスクが内蔵されている。コントローラ２１には、凝縮器１２、冷却器１７、ガスクロマトグラフ２０、ヒータ２５、第２圧力制御弁２４がインターフェイス２８（有線または無線）を介して接続されている。また、インターフェイスの図示は省略しているが、コントローラ２１には、タンク１３、ポンプ１４、加熱器１５、洗浄容器１６の温度センサや圧力センサ、第１圧力制御弁２３、流量センサが接続されている。コントローラ２１は、凝縮器１２の温度、冷却器１７の出力、ヒータ２５の出力、弁２４の開度を監視しつつ、それら機器の温度や出力、開度をコントロールする。コントローラ２１は、タンク１３からの二酸化炭素供給量やポンプ１４の出力、加熱器１５の出力、弁２３の開度を監視しつつ、温度センサや圧力センサ、流量センサから出力される計測結果に基づいて、それら機器の出力や供給量、開度をコントロールする。なお、コントローラ２１には、図示はしていないが、ＯＮ／ＯＦＦスイッチやキーユニット等の入力装置、プリンタやディスプレイ等の出力装置がインターフェイスを介して接続されている。
【００３２】
フィルタ１１の洗浄中、コントローラ２１は、それに接続された凝縮器１２、タンク１３、ポンプ１４、加熱器１５、洗浄容器１６、第１圧力制御弁２３を最適な運転状態（フィルタ１１を最も効率よく洗浄し得る状態）に保持する。具体的にコントローラ２１は、洗浄容器１６に収容されたフィルタ１１を最適な状態で洗浄し得るように、それら機器をあらかじめ設定された運転条件（設定供給量や設定出力、設定開度）に合致させる。コントローラ２１は、各センサから入力される計測結果に基づいて各運転条件に誤差が生じたと判断すると、それら機器を調節して運転条件を設定時のそれに戻すフィードバック制御を実行する。
【００３３】
コントローラ２１は、ポンプ１４や制御弁２３を調節し、管路２２を流れる洗浄流体の流量を設定値に保持し、洗浄流体の洗浄容器１６への流入量や洗浄容器１６からの流出量を設定値に保持するとともに、洗浄容器１６内に流入する洗浄流体の圧力を設定値に保持する。さらに、加熱器１５の熱量を調節し、洗浄流体の洗浄容器１６内における温度を設定値に保持する。なお、入力装置を介して各設定値を入力することで、コントローラ２１のメモリに格納された各設定値を変更することができる。
【００３４】
コントローラ２１は、フィルタ１１の洗浄中に管路２２を循環する洗浄流体の流量が設定値の範囲から外れ、洗浄流体の洗浄容器１６への流入量や洗浄流体の洗浄容器１６からの流出量が設定値の範囲から外れると、ポンプ１４の出力を調節して洗浄流体の流量や流入量、流出量を設定値の範囲内に復帰させる。コントローラ２１は、フィルタ１１の洗浄中に洗浄容器１６内に流入する洗浄流体の圧力が設定値の範囲から外れると、ポンプ１４の出力や圧力制御弁２３の弁機構を調節して洗浄流体の圧力を設定値の範囲内に復帰させる。コントローラ２１は、フィルタ１１の洗浄中に洗浄容器１６内の洗浄流体の温度が設定値の範囲から外れると、加熱器１５の熱量を調節して洗浄容器１６内の洗浄流体の温度を設定値の範囲に復帰させる。
【００３５】
コントローラ２１の中央処理部は、オペレーティングシステムによる制御に基づいて、メモリに格納されたアプリケーションを起動し、起動したアプリケーションに従って、以下の各手段を実行する。コントローラ２１の中央処理部は、気液分離装置１８内の洗浄流体の圧力をあらかじめ設定された初期圧力に調節しつつ、気液分離装置１８内の洗浄流体の温度をあらかじめ設定された初期温度に調節してシステム１０の初期運転を行う初期運転手段を実行する。初期運転手段においてコントローラ２１は、気液分離装置１８を最も緩い条件で運転し得る初期圧力および初期温度を採用し、気液分離装置１８内の洗浄流体の圧力をあらかじめ設定された初期圧力に調節する初期圧力調節手段を実行しつつ、気液分離装置１８内の洗浄流体の温度をあらかじめ設定された初期温度に調節する初期温度調節手段を実行し、システム１０の初期運転を行う。
【００３６】
コントローラ２１の中央処理部は、ガスクロマトグラフ２０から出力された分析結果（ガスクロマトグラフ２０において分析された不純物の種類）に基づいて、気液分離装置１８から流出した後の洗浄流体に不純物が残存するかを判断しつつ、洗浄流体に残存する不純物の種類を特定する種類特定手段を実行する。種類特定手段では、洗浄流体に残存する不純物の種類からその不純物の沸点と飽和蒸気圧とを特定する。中央処理部は、初期運転の実行中に、気液分離装置１８内の洗浄流体の圧力を洗浄流体に残存する不純物の種類に適した最適圧力に調節する圧力調節手段を実行し、気液分離装置１８内の洗浄流体の温度を洗浄流体に残存する不純物の種類に適した最適温度に調節する温度調節手段を実行する。圧力調節手段では、種類特定手段によって特定した不純物の沸点と飽和蒸気圧とに基づいて最適圧力を決定しつつ、気液分離装置内の洗浄流体の圧力を初期圧力から最適圧力に変更する。温度調節手段では、種類特定手段によって特定した不純物の沸点と飽和蒸気圧とに基づいて最適温度を決定しつつ、気液分離装置内の洗浄流体の温度を初期温度から最適温度に変更する。
【００３７】
図２は、このシステム１０における洗浄手順の一例を示すフローチャートであり、図３は、特定した不純物の種類、沸点、飽和蒸気圧の一例を示す図である。図４は、不純物の種類とその沸点および飽和蒸気圧の第１関係を示す図であり、図５は、不純物の種類とその設定圧力および設定温度との第２関係を示す図である。図２〜図５を参照しつつ、この洗浄システム１０におけるフィルタ洗浄運転の一例を説明すると以下のとおりである。なお、洗浄容器１６の気密構造洗浄室には、被洗浄物である使用済のフィルタ１１が収容されている。
【００３８】
使用済のフィルタ１１には、主な不純物としてイソプロピルアルコール（沸点：８２（℃）、飽和蒸気圧：３３（ｍｍＨｇ））、トルエン（沸点：１１０（℃）、飽和蒸気圧：２２．５（ｍｍＨｇ））、フタル酸ジオクチル（沸点：３８６（℃）、飽和蒸気圧：２．２８×１０−７（ｍｍＨｇ））が含まれているものとする。コントローラ２１のハードディスクには、図４の不純物の種類とその沸点および飽和蒸気圧の第１関係が格納され、図５の不純物の種類と設定圧力および設定温度との第２関係が格納されている。
【００３９】
コントローラ２１は、図５に示すように、不純物をＶＶＯＣ、ＶＯＣ、ＳＶＯＣに区分する。ＶＶＯＣは、高揮発性有機化合物であり、沸点が５０（℃）未満、飽和蒸気圧が１５（ｋＰａ）以上である。ＶＯＣは、揮発性有機化合物であり、沸点が５０（℃）以上２６０（℃）未満、飽和蒸気圧が１０−２（ｋＰａ）以上である。ＳＶＯＣは、準揮発性有機化合物であり、沸点が２６０（℃）以上４００（℃）未満、飽和蒸気圧が１０−８〜１０−２（ｋＰａ）以上である。気液分離装置１８に適用する運転条件としては、ＶＶＯＣが最も厳しく、ＶＯＣが次に厳しく、ＳＶＯＣが最も緩やかである。
【００４０】
ＶＶＯＣに属する不純物には、イソプロピルアルコールの他、メタン（沸点：−１６１℃）、ホルムアルデヒド（沸点：−２１℃）、メチルメルカプタン（沸点：６℃）、アセトアルデヒド（沸点：２０℃）、ジクロロメタン（沸点：４０℃）等がある。ＶＯＣに属する不純物には、トルエンの他に、酢酸メチル（沸点：７７℃）、エタノール（沸点：７８℃）、ベンゼン（沸点：８０℃）、メチルエチルケトン（沸点：８０℃）、トリクロロエタン（沸点：１１３℃）、キシレン（沸点：１４０℃）、リモネン（沸点：１７８℃）、Ｌニコチン（沸点：２４７℃）等がある。ＳＶＯＣに属する不純物には、フタル酸ジオクチルの他に、クロロピリホス（沸点：２９０℃）、フタル酸ジブチル（沸点：３４０℃）等がある。
【００４１】
システム１０を起動させると、各機器が稼動する。システム１０の稼働時において、コントローラ２１は、ＳＶＯＣに対応する最も緩い運転条件を気液分離装置１８に適用し、システム１０の初期運転を行う（初期運転手段）（Ｓ−１）。具体的にコントローラ２１は、不純物の種類と設定圧力および設定温度との第２関係（図５参照）をハードディスクから取り出し、その第２関係から、ＳＶＯＣに対応する気液分離装置１８の運転条件として、初期圧力を６（ＭＰａ）に決定し、初期温度を２２（℃）に決定する。コントローラ２１は、気液分離装置１８に流入する洗浄流体の温度を２２（℃）（初期温度）とし（初期温度調節手段）、気液分離装置１８に流入する洗浄流体の圧力を６（ＭＰａ）（初期圧力）とする（初期圧力調節手段）。なお、第２圧力制御弁２４の弁機構を調節し、制御弁２３と制御弁２４と間を流動する洗浄流体の圧力を２（ＭＰａ）に保持し、さらに、冷却器１７の出力を調整して気液分離装置１８に流入する洗浄流体の温度（気液分離装置１８内の洗浄流体の温度）を２２（℃）に微調整する。
【００４２】
コントローラ２１は、ポンプ１４の出力を調節しつつ、制御弁２３の開度を調節し、タンク１３に貯留された液化二酸化炭素の設定量を管路２２に供給する。コントローラ２１は、ポンプ１４の出力を設定出力に保持しつつ、制御弁２３の開度を設定開度に保持し、二酸化炭素を所定の圧力に加圧するとともに、加熱器１５の出力を設定出力に保持し、加圧された二酸化炭素を所定の温度に加熱する。加熱器１５から流出した二酸化炭素は、超臨界または亜臨界のいずれかの洗浄流体となり、洗浄容器１６の気密構造洗浄室に流入する。
【００４３】
超臨界または亜臨界の洗浄流体は、フィルタ１１を流通し、それに含まれる不純物（イソプロピルアルコール、トルエン、フタル酸ジオクチル）をフィルタ１１から分離した後、洗浄容器１６から流出する。洗浄容器１６から流出した直後の洗浄流体（フィルタ１１を洗浄した直後の洗浄流体）に含まれる不純物（汚れ）は、その大部分がイソプロピルアルコール、トルエン、フタル酸ジオクチルであり、その他の不純物が微量に含まれている。洗浄容器１６から流出した洗浄流体は、冷却器１７に流入し、制御弁２３を通って気液分離装置１８に流入する。洗浄流体は、冷却器１７で冷却されるとともに、制御弁２４で圧力制御され、その圧力が６（ＭＰａ）（初期圧力）、その温度が２２（℃）（初期温度）となり、気液分離装置１８内に進入する。
【００４４】
システムの初期運転では、圧力が６（ＭＰａ）および温度が２２（℃）の洗浄流体が気液分離装置１８に流入する。気液分離装置１８では、洗浄流体（二酸化炭素）に含まれるフタル酸ジオクチルが洗浄流体から分離され、フタル酸ジオクチルが回収器２６に回収される。しかし、装置１８内の洗浄流体の圧力が初期圧力（６ＭＰａ）に保持され、装置１８内の洗浄流体の温度が初期温度（２２℃）に保持されるから、洗浄流体に含まれるイソプロピルアルコールやトルエンが洗浄流体から分離され難く、装置１８から流出した洗浄流体にイソプロピルアルコールやトルエンが残存する。さらに、微量なフタル酸ジオクチルや他の微量な不純物が残存する。
【００４５】
洗浄流体は、気液分離装置１８から濾過装置１９に流入する過程において、その一部が管路２２に設置されたサンプリング管２７からガスクロマトグラフ２０に送られる。ガスクロマトグラフ２０は、洗浄流体に残存する不純物を検出しつつ、不純物の成分を分析し（不純物検出手段）（Ｓ−２）、その分析結果をコントローラ２１に出力する（検出結果出力手段）（Ｓ−３）。コントローラ２１は、ガスクロマトグラフ２０から出力された分析結果に基づき、洗浄流体に残存する不純物の種類を特定した後、不純物の種類からその不純物の沸点と飽和蒸気圧とを特定する（種類特定手段）（Ｓ−４）。コントローラ２１は、特定した不純物の種類、沸点、飽和蒸気圧をハードディスクに格納する。特定した不純物は、図３に示すように、イソプロピルアルコール、トルエンである。
【００４６】
コントローラ２１は、不純物の種類（イソプロピルアルコール、トルエン）、沸点、飽和蒸気圧を特定すると、ハードディスクに格納された不純物の種別区分とその沸点および飽和蒸気圧の第１関係（図４参照）をハードディスクから取り出す。コントローラ２１は、イソプロピルアルコールの沸点および飽和蒸気圧を第１関係に当て嵌め、イソプロピルアルコールがＶＶＯＣに属すると判断し、トルエンの沸点および飽和蒸気圧を第１関係に当て嵌め、トルエンがＶＯＣに属すると判断し、初期圧力の変更および初期温度の変更が必要かを判断する（Ｓ−５）。
【００４７】
コントローラ２１は、洗浄流体にＶＶＯＣ、ＶＯＣに属する不純物が残存しているから、ＳＶＯＣに対応する初期圧力の変更を必要と判断するとともに、ＳＶＯＣに対応する初期温度の変更を必要と判断する。洗浄流体にはＶＶＯＣ、ＶＯＣに属する不純物が残存しているが、コントローラ２１は、それらのうち、ＶＶＯＣに属する不純物が残存していると判断すると、ＶＯＣが含まれているにもかかわらず、ＶＶＯＣに対応する最も厳しい運転条件を気液分離装置１８に適用する。具体的にコントローラ２１は、不純物の種類と設定圧力および設定温度との第２関係（図５参照）をハードディスクから取り出し、その第２関係から、ＶＶＯＣが検出された場合の気液分離装置１８の運転条件として、最適圧力を２（ＭＰａ）に決定し、最適温度を−２０（℃）に決定する（Ｓ−６）。
【００４８】
コントローラ２１は、気液分離装置１８に流入する洗浄流体の温度を２２℃（初期温度）から−２０（℃）（最適温度）に変更するとともに（温度調節手段）、気液分離装置１８に流入する洗浄流体の圧力を６（ＭＰａ）（初期圧力）から２（ＭＰａ）（最適圧力）に変更し（圧力調節手段）、ＶＶＯＣに対応する運転条件を気液分離装置１８に適用する（Ｓ−７）。なお、第２圧力制御弁２４の弁機構を調節し、制御弁２３と制御弁２４と間を流動する洗浄流体の圧力を２（ＭＰａ）に保持し、さらに、冷却器１７の出力を調整して気液分離装置１８に流入する洗浄流体の温度（気液分離装置１８内の洗浄流体の温度）を−２０（℃）に微調整する。
【００４９】
イソプロピルアルコールやトルエン、微量なフタル酸ジオクチル、他の微量な不純物が残存する洗浄流体は、気液分離装置１８から濾過装置１９に流入する。濾過装置１９では、気液分離装置１８において分離しきれない微量なフタル酸ジオクチル、他の不純物が洗浄流体から除去される他、残存するイソプロピルアルコールやトルエンが洗浄流体から除去される。濾過装置１９から流出した洗浄流体からは、フタル酸ジオクチルやイソプロピルアルコール、トルエン、他の不純物が除去されている。濾過装置１９から流出した洗浄流体は、凝縮器１２に流入し、凝縮器１２によって液体に戻った後、制御弁２４を通ってタンク１３に流入し、再びタンク１３から管路２２に供給される。洗浄流体は、フィルタ１１を流通し、それに含まれる不純物（イソプロピルアルコール、トルエン、フタル酸ジオクチル）をフィルタ１１から分離した後、洗浄容器１６から流出する。
【００５０】
気液分離装置１８では、洗浄流体に含まれるイソプロピルアルコール、トルエン、フタル酸ジオクチルを洗浄流体から効率よく分離することができるように、装置１８内の洗浄流体の圧力が最適圧力（２ＭＰａ）に保持され、装置１８内の洗浄流体の温度が最適温度（−２０℃）に保持される。ゆえに、洗浄流体に含まれるイソプロピルアルコール、トルエン、フタル酸ジオクチルが装置１８によって確実に分離され、イソプロピルアルコール、トルエン、フタル酸ジオクチルが回収器２６に回収される。イソプロピルアルコール、トルエン、フタル酸ジオクチルが分離された洗浄流体は、再び濾過装置１９に流入する。濾過装置１９では、気液分離装置１８において分離しきれない微量なイソプロピルアルコールやトルエン、フタル酸ジオクチル（他の微量な不純物を含む）を除去する。微量な不純物が除去された洗浄流体は、凝縮器１２に流入し、凝縮器１２によって液体に戻った後、制御弁２４を通ってタンク１３に流入し、再びタンク１３から管路２２に供給される。
【００５１】
初期圧力から最適圧力に変更し、かつ、初期温度から最適温度に変更した後、コントローラ２１は、ガスクロマトグラフ２０から出力された分析結果に基づき、フィルタ１１に不純物が残存しないと判断すると、凝縮器１２内の洗浄流体の圧力を最適圧力に保持し、凝縮器１２内の洗浄流体の温度を最適温度に保持した状態で、洗浄が終了するまでシステム１０の運転を継続する。コントローラ２１は、そのタイマ機能によって洗浄時間を監視し、洗浄時間が経過したかを判断する（Ｓ−８）。洗浄時間が経過し、フィルタ１１の洗浄が完了すると、コントローラ２１は、洗浄容器１６内の圧力を室圧に戻し、洗浄容器１６内の温度を室温に戻す。洗浄容器１６内の圧力が室圧に戻り、温度が室温に戻った後、フィルタ１１を洗浄容器１６から取り出す。洗浄時間が経過していない場合、コントローラ２１は、最適圧力および最適温度においてフィルタ１１の洗浄を継続する。
【００５２】
次に、主な不純物としてトルエンとフタル酸ジオクチルとがフィルタ１１に含まれているものとした場合の処理手順を説明する。この場合、初期運転において気液分離装置１８がＳＶＯＣに対応する運転条件で運転されているから、洗浄流体に含まれるフタル酸ジオクチルが洗浄流体から分離され、フタル酸ジオクチルが回収器２６に回収されるが、洗浄流体に含まれるトルエンが洗浄流体から分離され難く、装置１８から流出した洗浄流体にトルエンが残存する。さらに、微量なフタル酸ジオクチルや他の微量な不純物が残存する。コントローラ２１は、ガスクロマトグラフ２０から出力された分析結果に基づき、洗浄流体に残存する不純物の種類（トルエン）を特定した後、不純物の種類からその不純物の沸点と飽和蒸気圧とを特定する（種類特定手段）（Ｓ−４）。コントローラ２１は、特定した不純物の種類、沸点、飽和蒸気圧をハードディスクに格納する。
【００５３】
コントローラ２１は、不純物の種類（トルエン）、沸点、飽和蒸気圧を特定すると、ハードディスクに格納された不純物の種別区分とその沸点および飽和蒸気圧の第１関係（図４参照）をハードディスクから取り出す。コントローラ２１は、トルエンの沸点および飽和蒸気圧を第１関係に当て嵌め、トルエンがＶＯＣに属すると判断し、初期圧力の変更および初期温度の変更が必要かを判断する（Ｓ−５）。コントローラ２１は、洗浄流体にＶＯＣに属する不純物が残存しているから、初期圧力の変更および初期温度の変更を必要と判断し、ＶＯＣに対応する運転条件を気液分離装置１８に適用する。具体的にコントローラ２１は、不純物の種類と設定圧力および設定温度との第２関係（図５参照）から、ＶＯＣが検出された場合の気液分離装置１８の運転条件として、設定圧力を４（ＭＰａ）に決定し、設定温度を５（℃）に決定する（Ｓ−６）。
【００５４】
この場合、コントローラ２１は、気液分離装置１８に流入する洗浄流体の温度を２２℃（初期温度）から５（℃）（最適温度）に変更するとともに（温度調節手段）、気液分離装置１８に流入する洗浄流体の圧力を６（ＭＰａ）（初期圧力）から４（ＭＰａ）（最適圧力）に変更し（圧力調節手段）、ＶＯＣに対応する運転条件を気液分離装置１８に適用する（Ｓ−７）。なお、第２圧力制御弁２４の弁機構を調節し、制御弁２３と制御弁２４と間を流動する洗浄流体の圧力を２（ＭＰａ）に保持し、さらに、冷却器１７の出力を調整して気液分離装置１８に流入する洗浄流体の温度（気液分離装置１８内の洗浄流体の温度）を５（℃）に微調整する。
【００５５】
トルエンや微量なフタル酸ジオクチル、他の微量な不純物が残存する洗浄流体は、気液分離装置１８から濾過装置１９に流入する。濾過装置１９では、気液分離装置１８において分離しきれない微量なフタル酸ジオクチル、他の不純物が洗浄流体から除去される他、残存するトルエンが洗浄流体から除去される。濾過装置１９から流出した洗浄流体には、フタル酸ジオクチルやトルエン、他の不純物が除去されている。濾過装置１９から流出した洗浄流体は、凝縮器１２に流入し、凝縮器１２によって液体に戻った後、制御弁２４を通ってタンク１３に流入し、再びタンク１３から管路２２に供給される。洗浄流体は、フィルタ１１を流通し、それに含まれる不純物（トルエン、フタル酸ジオクチル）をフィルタ１１から分離した後、洗浄容器１６から流出する。
【００５６】
気液分離装置１８では、洗浄流体に含まれるトルエン、フタル酸ジオクチルを洗浄流体から効率よく分離することができるように、装置１８内の洗浄流体の圧力が最適圧力（４ＭＰａ）に保持され、装置１８内の洗浄流体の温度が最適温度（５℃）に保持される。ゆえに、洗浄流体に含まれるトルエン、フタル酸ジオクチルが装置１８によって確実に分離され、トルエン、フタル酸ジオクチルが回収器２６に回収される。トルエン、フタル酸ジオクチルが分離された洗浄流体は、再び濾過装置１９に流入する。濾過装置１９では、気液分離装置１８において分離しきれない微量なトルエンやフタル酸ジオクチル（他の微量な不純物を含む）を除去する。微量な不純物が除去された洗浄流体は、凝縮器１２に流入し、凝縮器１２によって液体に戻った後、制御弁２４を通ってタンク１３に流入し、再びタンク１３から管路２２に供給される。
【００５７】
ステップ５（Ｓ−５）に戻って、初期運転の実行中にコントローラ２１は、ガスクロマトグラフ２０から出力された分析結果に基づき、フィルタ１１に不純物が残存しないと判断し、初期圧力の変更および初期温度の変更を不必要と判断すると、凝縮器１２内の洗浄流体の圧力を６（ＭＰａ）（初期圧力）に保持し、凝縮器１２内の洗浄流体の温度を２２（℃）（初期温度）に保持した状態で、システムの運転を継続する。次に、コントローラ２１は、洗浄時間が経過したかを判断する（Ｓ−９）。洗浄時間が経過し、フィルタ１１の洗浄が完了すると、コントローラ２１は、洗浄容器１６内の圧力を室圧に戻し、洗浄容器１６内の温度を室温に戻す。洗浄容器１６内の圧力が室圧に戻り、温度が室温に戻った後、フィルタ１１を洗浄容器１６から取り出す。洗浄時間が経過していない場合、コントローラ２１は、初期圧力および初期温度においてフィルタ１１の洗浄を継続するとともに、ステップ２（Ｓ−２）からの手順を繰り返す。
【００５８】
この洗浄システム１０では、特定した沸点と飽和蒸気圧とに基づいて最適圧力を決定し、特定した沸点と飽和蒸気圧とに基づいて最適温度を決定しているが、特定した沸点と飽和蒸気圧とのいずれか一方に基づいて最適圧力を決定し、特定した沸点と飽和蒸気圧とのいずれか一方に基づいて最適温度を決定してもよい。
【００５９】
洗浄システム１０は、気液分離装置１８内の洗浄流体の圧力を初期圧力から不純物の種類に適した最適圧力に調節しつつ、気液分離装置１８内の洗浄流体の温度を初期温度から不純物の種類に適した最適温度に調節するから、特定した不純物の種類に適した圧力・温度条件で気液分離装置１８を運転することができ、不純物の蒸気圧の差を効率的に利用して洗浄流体に含まれる不純物を洗浄流体から効率よく分離することができる。洗浄システム１０は、特定した不純物の種類に適した圧力・温度条件で気液分離装置１８を運転するから、システムにおけるエネルギー損失を低減することができ（特に、洗浄流体の温度を下げるための冷却器１７の過負荷運転をする必要はなく、冷却器１７の省エネを図ることができる。）、その結果、システム１０のエネルギー効率を向上させることができる。
【００６０】
洗浄システム１０では、洗浄流体が管路２２を通ってそれら機器を循環しつつ気液分離装置１８と濾過装置１９とを通ることで、手間と費用とをかけずに洗浄流体に含まれる不純物を洗浄流体から分離することができ、不純物が除かれた状態の洗浄流体が洗浄容器１６に流入するから、常時清潔な洗浄流体を利用してフィルタ１１に付着した不純物を落とすことができる。洗浄システム１０は、気液分離装置１８を最も緩い条件で運転し得る初期圧力および初期温度を採用して初期運転を行うから、初期運転時に気液分離装置１８を軽負荷で運転することができる。この洗浄システム１０は、初期運転時に気液分離装置１８を重負荷で運転する場合と比較し、気液分離装置１８の省エネ化を図ることができ、その結果、システム１０のエネルギー効率を向上させることができる。
【００６１】
図６は、不純物の沸点と最適圧力との第１相関関係の一例を示す図であり、図７は、不純物の沸点と最適温度との第２相関関係の一例を示す図である。図６，７の相関関係を利用したシステム１０のフィルタ洗浄運転を説明すると、以下のとおりである。この例では、主な不純物としてトルエンが含まれた使用済のフィルタ１１を洗浄するものとする。不純物の沸点と最適温度との第１相関関係は、図６に示すように、横軸に沸点が表され、縦軸に最適圧力が表された図表としてコントローラ２１のハードディスクに格納されている。第１相関関係の図表には、所定の傾きを有する関数が表示されている。第１相関関係では、所定の沸点から縦に引いた線分と関数との交点を割り出し、その交点から横に引いた線分が縦軸に交わるときの圧力を最適圧力とする。
【００６２】
不純物の沸点と最適温度との第２相関関係は、図７に示すように、横軸に沸点が表され、縦軸に最適温度が表された図表としてコントローラ２１のハードディスクに格納されている。第２相関関係の図表には、所定の傾きを有する関数が表示されている。第２相関関係では、所定の沸点から縦に引いた線分と関数との交点を割り出し、その交点から横に引いた線分が縦軸に交わるときの温度を最適温度とする。
【００６３】
フィルタ１１を洗浄容器１６の気密構造洗浄室に収容し、そのフィルタ１１の洗浄を開始する。システム１０の稼働時において、コントローラ２１は、最も緩い運転条件を気液分離装置１８に適用し、システム１０の初期運転を行う（初期運転手段）。コントローラ２１は、気液分離装置１８に流入する洗浄流体の温度を初期温度（たとえば、２５℃）とし（初期温度調節手段）、気液分離装置１８に流入する洗浄流体の圧力を初期圧力（たとえば、８ＭＰａ）とする（初期圧力調節手段）。なお、初期運転における初期圧力や初期温度は任意に設定または変更することができる。
【００６４】
気液分離装置１８から流出した洗浄流体には、トルエンが残存している。ガスクロマトグラフ２０は、サンプリングした洗浄流体から不純物を検出しつつ、検出した不純物の成分を分析し（不純物検出手段）、その分析結果をコントローラ２１に出力する（検出結果出力手段）。コントローラ２１は、ガスクロマトグラフ２０から出力された分析結果（ガスクロマトグラフ２０において分析された不純物の種類）に基づき、洗浄流体に残存する不純物の種類（トルエン）を特定した後、不純物の種類からその不純物の沸点を特定する（種類特定手段）。コントローラ２１は、特定した不純物の種類、沸点をハードディスクに格納する。特定した不純物は、沸点が１１０（℃）のトルエンである。
【００６５】
コントローラ２１は、不純物の種類（トルエン）、沸点を特定すると、初期圧力の変更および初期温度の変更が必要かを判断する。コントローラ２１は、トルエンの沸点が１１０（℃）であることから、初期圧力の変更を必要と判断するとともに、初期温度の変更を必要と判断する。初期圧力および初期温度の変更が必要であると判断すると、コントローラ２１は、沸点と最適圧力との第１相関関係をハードディスクから取り出し、特定した沸点を第１相関関係に当て嵌め、沸点に対応する最適圧力を決定する。さらに、沸点と最適温度との第２相関関係をハードディスクから取り出し、特定した沸点を第２相関関係に当て嵌め、沸点に対応する最適温度を決定する。
【００６６】
コントローラ２１は、気液分離装置１８に流入する洗浄流体の温度を初期温度から最適温度とするとともに（温度調節手段）、気液分離装置１８に流入する洗浄流体の圧力を初期圧力から最適圧力とする（圧力調節手段）。なお、第２圧力制御弁２４の弁機構を調節し、制御弁２３と制御弁２４と間を流動する洗浄流体の圧力を最適圧力に保持し、さらに、冷却器１７の出力を調整して気液分離装置１８に流入する洗浄流体の温度（気液分離装置１８内の洗浄流体の温度）を最適温度に微調整する。
【００６７】
気液分離装置１８では、洗浄流体に含まれるトルエンを洗浄流体から効率よく分離することができるように、装置１８内の洗浄流体の圧力が最適圧力に保持され、装置１８内の洗浄流体の温度が最適温度に保持される。ゆえに、洗浄流体に含まれるトルエンが装置１８によって確実に分離され、トルエンが回収器２６に回収される。トルエンが分離された洗浄流体は、濾過装置１９に流入する。濾過装置１９では、気液分離装置１８において分離しきれない微量な不純物（トルエンや他の不純物）を除去する。微量な不純物が除去された洗浄流体は、凝縮器１２に流入し、凝縮器１２によって液体に戻った後、制御弁２４を通ってタンク１３に流入し、再びタンク１３から管路２２に供給される。
【００６８】
図６，７に示す相関関係を利用した洗浄システム１０は、特定した不純物の沸点をあらかじめ作成された第１および第２相関関係に当て嵌めることで、最適圧力や最適温度が決定されるから、それら相関関係を利用して沸点に対応する正確かつ綿密な最適圧力や最適温度を決定することができ、特定した不純物の種類に最も適した圧力・温度条件を気液分離装置１８に適用することができる。この洗浄システム１０は、特定した不純物の種類に最も適した圧力・温度条件で気液分離装置１８を運転することができ、不純物の蒸気圧の差を効率的に利用して洗浄流体に含まれる不純物を洗浄流体から効率よく分離することができる。
【００６９】
図６，７に示す相関関係を利用した洗浄システム１０では、洗浄流体が管路２２を通ってそれら機器を循環しつつ気液分離装置１８と濾過装置１９とを通ることで、手間と費用とをかけずに洗浄流体に含まれる不純物を洗浄流体から分離することができ、不純物が除かれた状態の洗浄流体が洗浄容器１６に流入するから、常時清潔な洗浄流体を利用してフィルタ１１に付着した不純物を落とすことができる。洗浄システム１０は、気液分離装置１８を最も緩い条件で運転し得る初期圧力および初期温度を採用して初期運転を行うから、初期運転時に気液分離装置１８を軽負荷で運転することができる。この洗浄システム１０は、初期運転時に気液分離装置１８を重負荷で運転する場合と比較し、気液分離装置１８の省エネ化を図ることができ、その結果、システム１０のエネルギー効率を向上させることができる。
【００７０】
図８は、不純物の飽和蒸気圧と最適圧力との第３相関関係の一例を示す図であり、図９は、不純物の飽和蒸気圧と最適温度との第４相関関係の一例を示す図である。図８，９の相関関係を利用したシステム１０のフィルタ洗浄運転を説明すると、以下のとおりである。この例では、主な不純物としてイソプロピルアルコールが含まれた使用済のフィルタ１１を洗浄するものとする。不純物の飽和蒸気圧と最適圧力との第３相関関係は、図８に示すように、横軸に飽和蒸気圧が表され、縦軸に最適圧力が表された図表としてコントローラ２１のハードディスクに格納されている。第３相関関係の図表には、所定の傾きを有する関数が表示されている。第３相関関係では、所定の飽和蒸気圧から縦に引いた線分と関数との交点を割り出し、その交点から横に引いた線分が縦軸に交わるときの圧力を最適圧力とする。
【００７１】
不純物の飽和蒸気圧と最適温度との第４相関関係は、図９に示すように、横軸に飽和蒸気圧が表され、縦軸に最適温度が表された図表としてコントローラ２１のハードディスクに格納されている。第４相関関係の図表には、所定の傾きを有する関数が表示されている。第４相関関係では、所定の飽和蒸気圧から縦に引いた線分と関数との交点を割り出し、その交点から横に引いた線分が縦軸に交わるときの温度を最適温度とする。
【００７２】
フィルタ１１を洗浄容器１６の気密構造洗浄室に収容し、そのフィルタ１１の洗浄を開始する。システム１０の稼働時において、コントローラ２１は、最も緩い運転条件を気液分離装置１８に適用し、システム１０の初期運転を行う（初期運転手段）。コントローラ２１は、気液分離装置１８に流入する洗浄流体の温度を初期温度（たとえば、２５℃）とし（初期温度調節手段）、気液分離装置１８に流入する洗浄流体の圧力を初期圧力（たとえば、８ＭＰａ）とする（初期圧力調節手段）。なお、初期運転における初期圧力や初期温度は任意に設定または変更することができる。
【００７３】
濾過装置１９から流出した洗浄流体には、イソプロピルアルコールが残存している。ガスクロマトグラフ２０は、サンプリングした洗浄流体から不純物を検出しつつ、検出した不純物の成分を分析し（不純物検出手段）、その分析結果をコントローラ２１に出力する（検出結果出力手段）。コントローラ２１は、ガスクロマトグラフ２０から出力された分析結果（ガスクロマトグラフ２０において分析された不純物の種類）に基づき、洗浄流体に含まれる不純物の種類（イソプロピルアルコール）を特定した後、不純物の種類からその不純物の飽和蒸気圧を特定する（種類特定手段）。コントローラ２１は、特定した不純物の種類、飽和蒸気圧をハードディスクに格納する。特定した不純物は、飽和蒸気圧が３３（ｍｍＨｇ）のイソプロピルアルコールである。
【００７４】
コントローラ２１は、不純物の種類（イソプロピルアルコール）、飽和蒸気圧を特定すると、初期圧力の変更および初期温度の変更が必要かを判断する。コントローラ２１は、イソプロピルアルコールの飽和蒸気圧が３３（ｍｍＨｇ）であることから、初期圧力の変更を必要と判断するとともに、初期温度の変更を必要と判断する。初期圧力および初期温度の変更が必要であると判断すると、コントローラ２１は、飽和蒸気圧と最適圧力との第３相関関係をハードディスクから取り出し、特定した飽和蒸気圧を第１相関関係に当て嵌め、飽和蒸気圧に対応する最適圧力を決定する。さらに、飽和蒸気圧と最適温度との第４相関関係をハードディスクから取り出し、特定した飽和蒸気圧を第４相関関係に当て嵌め、飽和蒸気圧に対応する最適温度を決定する。
【００７５】
コントローラ２１は、気液分離装置１８に流入する洗浄流体の温度を初期温度から最適温度とし（温度調節手段）、気液分離装置１８に流入する洗浄流体の圧力を初期圧力から最適圧力とする（圧力調節手段）。なお、第２圧力制御弁２４の弁機構を調節し、制御弁２３と制御弁２４と間を流動する洗浄流体の圧力を最適圧力に保持し、さらに、冷却器１７の出力を調整して気液分離装置１８に流入する洗浄流体の温度（気液分離装置１８内の洗浄流体の温度）を最適温度に微調整する。
【００７６】
気液分離装置１８では、洗浄流体に含まれるイソプロピルアルコールを洗浄流体から効率よく分離することができるように、装置１８内の洗浄流体の圧力が最適圧力に保持され、装置１８内の洗浄流体の温度が最適温度に保持される。ゆえに、洗浄流体に含まれるイソプロピルアルコールが装置１８によって確実に分離され、イソプロピルアルコールが回収器２６に回収される。イソプロピルアルコールが分離された洗浄流体は、濾過装置１９に流入する。濾過装置１９では、気液分離装置１８において分離しきれない微量な不純物（イソプロピルアルコールや他の不純物）を除去する。微量な不純物が除去された洗浄流体は、凝縮器１２に流入し、凝縮器１２によって液体に戻った後、制御弁２４を通ってタンク１３に流入し、再びタンク１３から管路２２に供給される。
【００７７】
図８，９に示す相関関係を利用した洗浄システム１０は、特定した不純物の飽和蒸気圧をあらかじめ作成された第３および第４相関関係に当て嵌めることで、最適圧力や最適温度が決定されるから、それら相関関係を利用して飽和蒸気圧に対応する正確かつ綿密な最適圧力や最適温度を決定することができ、特定した不純物の種類に最も適した圧力・温度条件を気液分離装置１８に適用することができる。この洗浄システム１０は、特定した不純物の種類に最も適した圧力・温度条件で気液分離装置１８を運転することができ、不純物の蒸気圧の差を効率的に利用して洗浄流体に含まれる不純物を洗浄流体から効率よく分離することができる。
【００７８】
図８，９に示す相関関係を利用した洗浄システム１０では、洗浄流体が管路２２を通ってそれら機器を循環しつつ気液分離装置１８と濾過装置１９とを通ることで、手間と費用とをかけずに洗浄流体に含まれる不純物を洗浄流体から分離することができ、不純物が除かれた状態の洗浄流体が洗浄容器１６に流入するから、常時清潔な洗浄流体を利用してフィルタ１１に付着した不純物を落とすことができる。洗浄システム１０は、気液分離装置１８を最も緩い条件で運転し得る初期圧力および初期温度を採用して初期運転を行うから、初期運転時に気液分離装置１８を軽負荷で運転することができる。この洗浄システム１０は、初期運転時に気液分離装置１８を重負荷で運転する場合と比較し、気液分離装置１８の省エネ化を図ることができ、その結果、システム１０のエネルギー効率を向上させることができる。
【００７９】
図１０は、このシステム１０における洗浄手順の他の一例を示すフローチャートであり、図１１は、図１０から続くフローチャートである。図１０，１１に基づいて洗浄手順の他の一例を説明すると、以下のとおりである。使用済のフィルタ１１には、主な不純物としてトルエン、フタル酸ジオクチルが含まれているものとする。洗浄システム１０を起動させると、各機器が稼動する。システム１０の稼働時において、コントローラ２１は、最も緩い運転条件を気液分離装置１８に適用し、システム１０の初期運転を行う（初期運転手段）（Ｓ−１０）。
【００８０】
コントローラ２１は、気液分離装置１８に流入する洗浄流体の温度を初期温度（たとえば、２５℃）とし（初期温度調節手段）、気液分離装置１８に流入する洗浄流体の圧力を初期圧力（たとえば、８ＭＰａ）とする（初期圧力調節手段）。なお、第２圧力制御弁２４の弁機構を調節し、制御弁２３と制御弁２４と間を流動する洗浄流体の圧力を最適圧力に保持し、さらに、冷却器１７の出力を調整して気液分離装置１８に流入する洗浄流体の温度（気液分離装置１８内の洗浄流体の温度）を初期温度に微調整する。初期運転における初期圧力や初期温度は任意に設定または変更することができる。
【００８１】
コントローラ２１は、ポンプ１４の出力を調節しつつ、制御弁２３の開度を調節し、タンク１３に貯留された液化二酸化炭素の設定量を管路２２に供給する。コントローラ２１は、ポンプ１４の出力を設定出力に保持しつつ、制御弁２３の開度を設定開度に保持し、二酸化炭素を所定の圧力に加圧するとともに、加熱器１５の出力を設定出力に保持し、加圧された二酸化炭素を所定の温度に加熱する。加熱器１５から流出した二酸化炭素は、超臨界または亜臨界のいずれかの洗浄流体となり、洗浄容器１６の気密構造洗浄室に流入する。
【００８２】
超臨界または亜臨界の洗浄流体は、フィルタ１１を流通し、それに含まれる不純物（トルエン、フタル酸ジオクチル）をフィルタ１１から分離した後、洗浄容器１６から流出する。洗浄容器１６から流出した直後の洗浄流体（フィルタ１１を洗浄した直後の洗浄流体）に含まれる不純物（汚れ）は、その大部分がトルエン、フタル酸ジオクチルであり、その他の不純物が微量に含まれている。洗浄容器１６から流出した洗浄流体は、冷却器１７に流入し、制御弁２３を通って気液分離装置１８に流入する。洗浄流体は、冷却器１７で冷却されるとともに、制御弁２４で圧力制御され、その圧力が初期圧力、その温度が初期温度となり、気液分離装置１８内に進入する。
【００８３】
システム１０の初期運転では、初期圧力（たとえば、８ＭＰａ）および初期温度（たとえば、２５℃）の洗浄流体が気液分離装置１８に流入する。装置１８内の洗浄流体の圧力が初期圧力に保持され、装置１８内の洗浄流体の温度が初期温度に保持されるから、洗浄流体に含まれるトルエンやフタル酸ジオクチルが洗浄流体から分離され難く、装置１８から流出した洗浄流体にトルエンやフタル酸ジオクチルが残存する。さらに、他の微量な不純物が残存する。
【００８４】
トルエンやフタル酸ジオクチル、他の微量な不純物が残存する洗浄流体は、気液分離装置１８から濾過装置１９に流入する。濾過装置１９では、気液分離装置１８において分離しきれない他の微量な不純物が洗浄流体から除去される他、残存するトルエンやフタル酸ジオクチルが洗浄流体から除去される。濾過装置１９から流出した洗浄流体からは、トルエンやフタル酸ジオクチル、他の不純物が除去されている。
【００８５】
洗浄流体は、気液分離装置１８から濾過装置１９に流入する過程において、その一部が管路２２に設置されたサンプリング管２７からガスクロマトグラフ２０に送られる。ガスクロマトグラフ２０は、洗浄流体に残存する不純物（トルエン、フタル酸ジオクチル）を検出しつつ、不純物の成分を分析し（不純物検出手段）、その分析結果をコントローラ２１に出力する（検出結果出力手段）（Ｓ−１１）。コントローラ２１は、ガスクロマトグラフ２０から出力された分析結果に基づき、洗浄流体に不純物が残存するかを判断するとともに、初期圧力や初期温度の変更が必要かを判断する（Ｓ−１２）。洗浄流体に不純物（トルエン、フタル酸ジオクチル）が残存する場合、コントローラ２１は、初期圧力や初期温度の変更が必要と判断し、初期圧力を変更するとともに（初期圧力変更手段）、初期温度を変更する（初期温度変更手段）（Ｓ−１３）。
【００８６】
なお、洗浄流体に不純物が残存しない場合、ステップ１２（Ｓ−１２）においてコントローラ２１は、初期圧力や初期温度の変更が不必要と判断するとともに、洗浄時間が経過したかを判断する（Ｓ−１４）。洗浄時間が経過し、フィルタ１１の洗浄が完了すると、コントローラ２１は、洗浄容器１６内の圧力を室圧に戻し、洗浄容器１６内の温度を室温に戻す。洗浄容器１６内の圧力が室圧に戻り、温度が室温に戻った後、フィルタ１１を洗浄容器１６から取り出す。洗浄時間が経過していない場合、コントローラ２１は、初期圧力および初期温度においてフィルタ１１の洗浄を継続するとともに、ステップ１１（Ｓ−１１）からの手順を繰り返す。
【００８７】
初期圧力の変更は、たとえば、初期圧力が８ＭＰａである場合、それを６ＭＰａにする。ただし、圧力の変更値は任意に設定することができる。初期温度の変更は、たとえば、初期温度が２５℃である場合、それを２２℃にする。ただし、温度の変更値は任意に設定することができる。コントローラ２１は、変更した圧力および温度を気液分離装置１８に適用しつつ、システム１０の運転を継続する。なお、第２圧力制御弁２４の弁機構を調節し、制御弁２３と制御弁２４と間を流動する洗浄流体の圧力を６（ＭＰａ）に保持し、さらに、冷却器１７の出力を調整して気液分離装置１８に流入する洗浄流体の温度（気液分離装置１８内の洗浄流体の温度）を２２（℃）に微調整する。
【００８８】
圧力や温度の変更後におけるシステム１０の運転では、圧力（６ＭＰａ）および温度（２２℃）の洗浄流体が気液分離装置１８に流入する。装置１８内の洗浄流体の圧力がその圧力に保持され、装置１８内の洗浄流体の温度がその温度に保持されるから、気液分離装置１８において洗浄流体に含まれるフタル酸ジオクチルが洗浄流体から分離され、フタル酸ジオクチルが回収器２６に回収される。しかし、装置１８内の洗浄流体の圧力が初期圧力（６ＭＰａ）に保持され、装置１８内の洗浄流体の温度が初期温度（２２℃）に保持されるから、洗浄流体に含まれるトルエンが洗浄流体から分離され難く、装置１８から流出した洗浄流体にトルエンが残存する。さらに、微量なフタル酸ジオクチルや他の微量な不純物が残存する。
【００８９】
トルエン、微量なフタル酸ジオクチル、他の微量な不純物が残存する洗浄流体は、気液分離装置１８から濾過装置１９に流入する。濾過装置１９では、気液分離装置１８において分離しきれない微量なフタル酸ジオクチル、他の不純物が洗浄流体から除去される他、残存するトルエンが洗浄流体から除去される。濾過装置１９から流出した洗浄流体からは、トルエンやフタル酸ジオクチル、他の不純物が除去されている。洗浄流体は、凝縮器１２に流入し、凝縮器１２によって液体に戻った後、制御弁２４を通ってタンク１３に流入し、再びタンク１３から管路２２に供給される。洗浄流体は、フィルタ１１を流通し、それに含まれる不純物（トルエン、フタル酸ジオクチル）をフィルタ１１から分離した後、洗浄容器１６から流出し、気液分離装置１８に流入する。
【００９０】
気液分離装置１８では、洗浄流体に含まれるフタル酸ジオクチルが洗浄流体から分離され、フタル酸ジオクチルが回収器２６に回収されるが、洗浄流体に含まれるトルエンが洗浄流体から分離され難く、装置１８から流出した洗浄流体にトルエンが残存する。トルエン、微量なフタル酸ジオクチル、他の微量な不純物が残存する洗浄流体は、気液分離装置１８から濾過装置１９に流入する。濾過装置１９では、気液分離装置１８において分離しきれない微量なフタル酸ジオクチル、他の不純物が洗浄流体から除去される他、残存するトルエンが洗浄流体から除去される。濾過装置１９から流出した洗浄流体からは、トルエンやフタル酸ジオクチル、他の不純物が除去されている。
【００９１】
洗浄流体の一部は、サンプリング管２７からガスクロマトグラフ２０に送られる。ガスクロマトグラフ２０は、洗浄流体に残存する不純物（トルエン）を検出しつつ、不純物の成分を分析し（不純物検出手段）、その分析結果をコントローラ２１に出力する（検出結果出力手段）（Ｓ−１５）。コントローラ２１は、ガスクロマトグラフ２０から出力された分析結果に基づき、洗浄流体に不純物が残存するかを判断するとともに、圧力や温度の変更が必要かを判断する（Ｓ−１６）。洗浄流体に不純物（トルエン）が残存する場合、コントローラ２１は、圧力や温度の変更が必要と判断し、圧力を変更するとともに（圧力変更手段）、温度を変更する（温度変更手段）（Ｓ−１７）。
【００９２】
なお、洗浄流体に不純物が残存しない場合、ステップ１６（Ｓ−１６）においてコントローラ２１は、圧力や温度の変更が不必要と判断すると、洗浄時間が経過したかを判断する（Ｓ−１８）。洗浄時間が経過し、フィルタ１１の洗浄が完了すると、コントローラ２１は、洗浄容器１６内の圧力を室圧に戻し、洗浄容器１６内の温度を室温に戻す。洗浄容器１６内の圧力が室圧に戻り、温度が室温に戻った後、フィルタ１１を洗浄容器１６から取り出す。洗浄時間が経過していない場合、コントローラ２１は、初期圧力から変更した圧力および初期温度から変更した温度においてフィルタ１１の洗浄を継続するとともに、ステップ１５（Ｓ−１５）からの手順を繰り返す。
【００９３】
圧力の変更は、たとえば、初期圧力から変更した圧力が６ＭＰａである場合、それを４ＭＰａにする。ただし、圧力の変更値は任意に設定することができる。温度の変更は、たとえば、初期温度から変更した温度が２２℃である場合、それを５℃にする。ただし、温度の変更値は任意に設定することができる。コントローラ２１は、変更した圧力および温度を気液分離装置１８に適用しつつ、システム１０の運転を継続する。なお、第２圧力制御弁２４の弁機構を調節し、制御弁２３と制御弁２４と間を流動する洗浄流体の圧力を４（ＭＰａ）に保持し、さらに、冷却器１７の出力を調整して気液分離装置１８に流入する洗浄流体の温度（気液分離装置１８内の洗浄流体の温度）を５（℃）に微調整する。
【００９４】
圧力や温度の変更後におけるシステム１０の運転では、圧力（４ＭＰａ）および温度（５℃）の洗浄流体が気液分離装置１８に流入する。装置１８内の洗浄流体の圧力がその圧力に保持され、装置１８内の洗浄流体の温度がその温度に保持されるから、気液分離装置１８において洗浄流体に含まれるトルエンやフタル酸ジオクチルが洗浄流体から分離され、トルエンやフタル酸ジオクチルが回収器２６に回収される。
【００９５】
微量なトルエンやフタル酸ジオクチル、他の微量な不純物が残存する洗浄流体は、気液分離装置１８から濾過装置１９に流入する。濾過装置１９では、気液分離装置１８において分離しきれない微量なトルエンやフタル酸ジオクチル、他の不純物が洗浄流体から除去される。濾過装置１９から流出した洗浄流体からは、トルエンやフタル酸ジオクチル、他の不純物が除去されている。洗浄流体は、凝縮器１２に流入し、凝縮器１２によって液体に戻った後、制御弁２４を通ってタンク１３に流入し、再びタンク１３から管路２２に供給される。洗浄流体は、フィルタ１１を流通し、それに含まれる不純物（トルエン、フタル酸ジオクチル）をフィルタ１１から分離した後、洗浄容器１６から流出する。
【００９６】
ガスクロマトグラフ２０は、洗浄流体に残存する不純物を検出しつつ、不純物の成分を分析し（不純物検出手段）、その分析結果をコントローラ２１に出力する（検出結果出力手段）（Ｓ−１９）。コントローラ２１は、ガスクロマトグラフ２０から出力された分析結果に基づき、洗浄流体に不純物が残存するかを判断するとともに、圧力や温度の変更が必要かを判断する（Ｓ−２０）。洗浄流体に不純物（トルエン）が残存しない場合、コントローラ２１は、圧力や温度の変更が不必要と判断し、そのときの圧力を最適圧力として保持し（圧力調節手段）、そのときの温度を最適温度として保持する（温度調節手段）（Ｓ−２１）。
【００９７】
ステップ２０（Ｓ−２０）においてコントローラ２１は、圧力や温度の変更が不必要と判断すると、洗浄時間が経過したかを判断する（Ｓ−２２）。洗浄時間が経過し、フィルタ１１の洗浄が完了すると、コントローラ２１は、洗浄容器１６内の圧力を室圧に戻し、洗浄容器１６内の温度を室温に戻す。洗浄容器１６内の圧力が室圧に戻り、温度が室温に戻った後、フィルタ１１を洗浄容器１６から取り出す。洗浄時間が経過していない場合、コントローラ２１は、最適圧力および最適温度においてフィルタ１１の洗浄を継続するとともに、ステップ２１（Ｓ−２１）からの手順を繰り返す。
【００９８】
図１０，１１の洗浄手順を実行する洗浄システム１０は、気液分離装置１８内の洗浄流体の圧力を洗浄流体に残存する不純物に適した最適圧力に調節しつつ、気液分離装置１８内の洗浄流体の温度を洗浄流体に残存する不純物の種類に適した最適温度に調節するから、不純物に適した圧力・温度条件で気液分離装置１８を運転することができ、不純物の蒸気圧の差を効率的に利用して洗浄流体に含まれる不純物を洗浄流体から効率よく分離することができる。洗浄システム１８は、手間と費用とをかけずに洗浄流体に含まれる不純物を洗浄流体から分離することができ、洗浄時における洗浄流体を常時清潔に保持することができる。この洗浄システム１０は、洗浄流体に残存する不純物に最も適した圧力・温度条件で気液分離装置１８を運転するから、システムにおけるエネルギー損失を低減することができ（特に、洗浄流体の温度を下げるための冷却器１７の過負荷運転をする必要はなく、冷却器１７の省エネを図ることができる。）、その結果、システム１０のエネルギー効率を向上させることができる。
【００９９】
図示のシステム１０では、ガスクロマトグラフ２０によるサンプリングポイントＰが濾過装置１９と凝縮器１２とを連結する管路２２に設定されていてもよい。この場合、ガスクロマトグラフ２０は、気液分離装置１８と濾過装置１９とから流出した後の洗浄流体に残存する不純物を検出し、かつ、検出した不純物の成分を分析する不純物検出手段を実行し、不純物検出手段によって分析した分析結果をコントローラ２１に出力する検出結果出力手段を実行する。また、ガスクロマトグラフ２０から延びるサンプリング管２７は、濾過装置１９と凝縮器１２とを連結する管路２２に接続される。気液分離装置１８と濾過装置１９とから流出した洗浄流体の一部は、管路２２からサンプリング管２７に流入し、減圧弁（図示せず）によって減圧されてガスクロマトグラフ２０に送られる。
【０１００】
図示のシステム１０では、不純物検出装置としてガスクロマトグラフ２０を利用しているが、ガスクロマトグラフ２０の他に、ガスクロマトグラフ質量分析装置、高速液体クロマトグラフ質量分析装置、誘導結合プラズマ質量分析装置、単収束扇形磁場型質量分析装置、二重収束扇形磁場型質量分析装置、四重極型質量分析装置、四重極イオントラップ型質量分析装置、飛行時間型質量分析装置のいずれかを使用することもできる。
【図面の簡単な説明】
【０１０１】
【図１】一例として示す洗浄システムの構成図。
【図２】このシステムにおける洗浄手順の一例を示すフローチャート。
【図３】特定した不純物の種類、沸点、飽和蒸気圧の一例を示す図。
【図４】不純物の種類とその沸点および飽和蒸気圧の第１関係を示す図。
【図５】沸点および飽和蒸気圧と設定圧力および設定温度との第２関係を示す図。
【図６】不純物の沸点と最適圧力との第１相関関係の一例を示す図。
【図７】不純物の沸点と最適温度との第２相関関係の一例を示す図。
【図８】不純物の飽和蒸気圧と最適圧力との第３相関関係の一例を示す図。
【図９】不純物の飽和蒸気圧と最適温度との第４相関関係の一例を示す図。
【図１０】システムにおける洗浄手順の他の一例を示すフローチャート。
【図１１】図１０から続くフローチャート。
【符号の説明】
【０１０２】
１０    洗浄システム
１１    フィルタ（被洗浄物）
１２    凝縮器
１３    貯留タンク
１４    ポンプ
１５    加熱器
１６    洗浄容器
１７    冷却器
１８    気液分離装置
１９    濾過器
２０    ガスクロマトグラフ（不純物検出装置）
２１    コントローラ（制御装置）
２２    管路
２３    第１圧力制御弁
２４    第２圧力制御弁
２５    ヒータ（加熱器）
２７    サンプリング管
【図１】
0005476492.tif 000002
【図２】
0005476492.tif 000003
【図３】
0005476492.tif 000004
【図４】
0005476492.tif 000005
【図５】
0005476492.tif 000006
【図６】
0005476492.tif 000007
【図７】
0005476492.tif 000008
【図８】
0005476492.tif 000009
【図９】
0005476492.tif 000010
【図１０】
0005476492.tif 000011
【図１１】
0005476492.tif 000012